(57)【要約】      （修正有）【課題】電子機器の使用場所に応じてその機器の機能を制限する。【解決手段】画像を投影面に向けて投影するプロジェクタユニット１２０と、使用者の現在の位置情報を取得するＧＰＳユニット１１０と、ＧＰＳユニットで取得された位置情報に基づいてプロジェクタユニット１２０による画像の投影の可否を判断する制御手段１０１とを備える。さらに、位置情報の変化に対応する投影のパラメータの値が記憶されたテーブルを備え、制御手段１０１は、プロジェクタユニット１２０で投影する際、位置情報の変化に応じて前記投影のパラメータの値を変更する。【選択図】図３
2010181509.tif 000002
【特許請求の範囲】
【請求項１】
画像を投影面に向けて投影するプロジェクタユニットと、
使用者の現在の位置情報を取得するＧＰＳユニットと、
前記ＧＰＳユニットで取得された前記位置情報に基づいて前記プロジェクタユニットによる投影の可否を判断する制御手段と
を備えていることを特徴とする電子機器。
【請求項２】
前記位置情報の変化に対応する投影のパラメータの値が記憶されたテーブルを備え、
前記制御手段は、前記プロジェクタユニットで投影する際、前記位置情報の変化に応じて前記投影のパラメータの値を変更することを特徴とする請求項１記載の電子機器。
【請求項３】
前記パラメータの種類として、少なくとも光量、音量が含まれていることを特徴とする請求項２記載の電子機器。
【請求項４】
被写体像を取得する撮像ユニットを備えていることを特徴とする請求項１〜３のいずれか１項記載の電子機器。
【請求項５】
被写体像を取得する撮像ユニットと、
使用者の現在の位置情報を取得するＧＰＳユニットと、
前記ＧＰＳユニットで取得される前記位置情報の変化に応じて前記撮像ユニットによる撮影のパラメータの値を変更する制御手段と
を備えていることを特徴とする電子機器。
【発明の詳細な説明】
【技術分野】
【０００１】
この発明は電子機器に関する。
【背景技術】
【０００２】
従来、撮影手段及び投影手段を備えるとともに、複数のＧＰＳ信号を受信して現在位置や現在時刻等を算出可能なＧＰＳレシーバを備える携帯電話機（電子機器）が知られている（下記公報参照）。
【先行技術文献】
【特許文献】
【０００３】
【特許文献１】特開２００５−２０３９５３号公報
【発明の概要】
【発明が解決しようとする課題】
【０００４】
上記携帯電話機を用いれば様々な場所で撮影や投影を行うことができる。しかし、上記携帯電話機を映画館、美術館、病院等にように撮影や投影を禁止される場所に持ち込んだとき、誤操作等によってフラッシュ撮影機能や投影機能が働くおそれがあった。
【０００５】
この発明はこのような事情に鑑みてなされたもので、その課題は電子機器の使用場所に応じてその機器の機能を制限することである。
【課題を解決するための手段】
【０００６】
上記課題を解決するため請求項１記載の発明は、画像を投影面に向けて投影するプロジェクタユニットと、使用者の現在の位置情報を取得するＧＰＳユニットと、前記ＧＰＳユニットで取得された前記位置情報に基づいて前記プロジェクタユニットによる投影の可否を判断する制御手段とを備えていることを特徴とする。
【０００７】
請求項２に記載の発明は、請求項１記載の電子機器において、前記位置情報の変化に対応する投影のパラメータの値が記憶されたテーブルを備え、前記制御手段は、前記プロジェクタユニットで投影する際、前記位置情報の変化に応じて前記投影のパラメータの値を変更することを特徴とする。
【０００８】
請求項３に記載の発明は、請求項２記載の電子機器において、前記パラメータの種類として、少なくとも光量、音量が含まれていることを特徴とする。
【０００９】
請求項４に記載の発明は、請求項１〜３のいずれか１項記載の電子機器において、被写体像を取得する撮像ユニットを備えていることを特徴とする。
【００１０】
請求項５に記載の発明は、被写体像を取得する撮像ユニットと、使用者の現在の位置情報を取得するＧＰＳユニットと、前記ＧＰＳユニットで取得される前記位置情報の変化に応じて前記撮像ユニットによる撮影のパラメータの値を変更する制御手段とを備えていることを特徴とする。
【発明の効果】
【００１１】
この発明によれば、電子機器の使用場所に応じてその機器の機能を制限することができる。
【図面の簡単な説明】
【００１２】
【図１】図１はカメラの斜視図である。
【図２】図２はカメラの背面図である。
【図３】図３はこの発明の第１実施形態に係るカメラのブロック図である。
【図４】図４は投影の可否の処理を説明するフローチャートである。
【図５】図５は投影条件を変更する処理を説明するフローチャートである。
【図６】図６は場所とパラメータとの関係を示すテーブルの図である。
【図７】図７はこの発明の第２実施形態に係るカメラのブロック図である。
【図８】図８はＣＰＵによって行われる撮影の可否及び撮影条件を変更する処理を説明するフローチャートである。
【図９】図９は場所と撮影のパラメータとの関係を示すテーブルの図である。
【発明を実施するための形態】
【００１３】
以下、この発明の実施の形態を図面に基づいて説明する。
【００１４】
図３はこの発明の第１実施形態に係るカメラ２のブロック図である。
【００１５】
カメラ（電子機器）２は制御部１００と撮像ユニット１３０とプロジェクタユニット１２０とを備えている。
【００１６】
制御部１００は、ＣＰＵ（制御手段）１０１とメモリ１０２と操作部材１０３と液晶表示器２２とスピーカ２５と外部インタフェース１０６と電源回路１０７とマイク１０９とＧＰＳユニット１１０とメモリカード２００とを備えている。電源回路１０７には電池１０８が接続されている。
【００１７】
ＧＰＳユニット１１０はＧＰＳレシーバ１１１とＧＰＳアンテナ１１２とで構成される。ＧＰＳレシーバ１１１は、ＧＰＳアンテナ１１２が受信する複数のＧＰＳ衛星からの測位情報により使用者が現在いる位置の緯度、経度、及び高度と正確な現在時刻とを算出し、算出結果をＣＰＵ１０１へ出力する。
【００１８】
プロジェクタユニット１２０は投影光学系１２１と液晶パネル１２２とＬＥＤ光源１２３と投影制御回路１２４とレンズ駆動回路１２５とを備えている。
【００１９】
撮像ユニット１３０は撮像光学系１３１とＣＣＤやＣＭＯＳ等の撮像素子１３２と撮像制御回路１３３とレンズ駆動回路１３４とを備えている。
【００２０】
ＣＰＵ１０１は、制御プログラムに基づいて、プロジェクタユニット１２０からの信号を入力して所定の演算を行い、演算結果に基づいてプロジェクタユニット１２０に制御信号を出力してプロジェクタユニット１２０の投影動作を制御する。
【００２１】
また、ＣＰＵ１０１はＧＰＳユニット１１０の出力に基づいて現在位置が屋内であるか屋外であるかを判断する。更に、ＣＰＵ１０１は、プロジェクタユニット１２０で投影する際、ＧＰＳユニット１１０によって得られた位置情報の変化に応じて投影のパラメータ（光量及び音量）の値を変更する。なお、位置情報の変化に対応する投影のパラメータの値はテーブルとしてメモリカード２００に記憶されている。
【００２２】
また、ＣＰＵ１０１は、制御プログラムに基づいて、撮像ユニット１３０からの信号を入力して所定の演算を行い、撮像ユニット１３０に制御信号を出力して撮像ユニット１３０の撮影動作を制御する。
【００２３】
なお、制御プログラムはＣＰＵ１０１内の不揮発性メモリ（図示せず）に記憶されている。
【００２４】
メモリ１０２はＣＰＵ１０１の作業領域として使用される。操作部材１０３は操作に対応する信号をＣＰＵ１０１に出力する。
【００２５】
メモリカード２００は不揮発性メモリによって構成され、制御部１００のカードスロット（図示せず）に装着可能な記憶媒体である。なお、メモリカード２００には、撮像した画像データや、他の機器から取り込んだ画像その他のデータが記憶されている。
【００２６】
外部インタフェース１０６は、ＣＰＵ１０１からの指令によりケーブル（図示せず）を介して外部機器（図示せず）との間でデータの送受信を行う。データは映像・音声データである。
【００２７】
スピーカ２５はＣＰＵ１０１からの音声信号を入力して音声を再生する。マイク１０９はＣＰＵ１０１からの指令に基づいて外部の音を取得する。液晶表示器２２はＣＰＵ１０１からの指令により画像（スルー画含む）、メニュー画面等を表示する。
【００２８】
電池１０８はプロジェクタユニット１２０、撮像ユニット１３０に電力を供給する。電源回路１０７は、ＤＣ/ＤＣ変換回路、充電回路及び電圧検出回路を有する。
【００２９】
投影制御回路１２４は、ＣＰＵ１０１からの指令により液晶パネル１２２、ＬＥＤ光源１２３及びレンズ駆動回路１２５をそれぞれ制御する。投影制御回路１２４は、ＣＰＵ１０１からの指令により電池１０８からＬＥＤ光源１２３に電流を供給する。ＬＥＤ光源１２３は供給電流に応じた明るさで液晶パネル１２２を照明する。
【００３０】
投影制御回路１２４は、ＣＰＵ１０１から送られる画像データに応じて液晶パネル駆動電流を生成し、生成した駆動電流で液晶パネル１２２を駆動する。
【００３１】
レンズ駆動回路１２５は、投影制御回路１２４からの指令に基づいて、投影光学系１２１を光軸方向へ移動させる。投影光学系１２１は液晶パネル１２２から射出される画像をプロジェクタ投影窓１０（図１参照）を介して拡大投影する。
【００３２】
撮像制御回路１３３は、ＣＰＵ１０１からの指令により撮像素子１３２及びレンズ駆動回路１３４をそれぞれ制御するとともに、撮像素子１３２から出力される撮像信号に対して所定の画像処理を行う。画像処理は例えばホワイトバランス処理である。撮像光学系１３１は撮像素子１３１の受光面上に被写体像を結像させる。撮像制御回路１３３は、ＣＰＵ１０１からの指令により応じて撮像素子１３２による撮像を開始させ、撮像終了後に撮像素子１３２から撮像信号を入力して画像処理を施し、画像データとして制御部１００に出力する。
【００３３】
レンズ駆動回路１３４は撮像制御回路１３３から出力されるズーム調節信号に基づいて撮像光学系１３１を光軸方向へ駆動する。
【００３４】
図１は図３に示すカメラ２の斜視図である。
【００３５】
カメラ２の筐体３は、アルミニウム板等からなる前カバー４及び後カバー６と、側面カバー７で構成されている。
【００３６】
前カバー４には、撮影窓８とプロジェクタ投影窓１０とフラッシュ光が射出されるフラッシュ窓１２とが設けられている。
【００３７】
また、筐体３の上面には、電源スイッチ１４と、レリーズ動作を指示するシャッタボタン１６と、カメラ撮影を行う撮影モードとプロジェクタ投影を行うプロジェクタモードとを切り替えるモード切替ボタン１８と、プロジェクタ投影時の投影画像のピント調整を行うための操作レバーであるプロジェクタフォーカスレバー２０とが設けられている。電源スイッチ１４、シャッタボタン１６、モード切替ボタン１８、プロジェクタフォーカスレバー２０及び操作ボタン２４で図３に示す操作部材１０３が構成される。
【００３８】
図２はカメラ２の背面図である。
【００３９】
後カバー６には、液晶表示器２２と、液晶表示器２２に表示された操作メニュー等を選択するマルチセレクタ等を備える操作ボタン２４と、再生モード又はプロジェクタモード時に音声を出力するスピーカ２５とが設けられている。
【００４０】
また、筐体３内には、ＧＰＳユニット１１０を構成するＧＰＳレシーバ１１１とＧＰＳアンテナ１１２とが収容されている。ＧＰＳユニット１１０は筐体３に支持部材（図示せず）により支持されている。
【００４１】
次に、プロジェクタユニット１２０による投影の可否の処理を図４のフローチャートに基づいて説明する。
【００４２】
図４は投影の可否の処理を説明するフローチャートである。図４においてＳ１〜Ｓ６は処理の各ステップを示す。
【００４３】
まず、モード切替ボタン１８を操作してプロジェクタモード（ＰＪモード）にする（Ｓ１）。
【００４４】
プロジェクタモード（ＰＪモード）が選択されると、ＣＰＵ１０１はＧＰＳユニット１１０を起動する（Ｓ２）。
【００４５】
ＧＰＳレシーバ１１１は、ＧＰＳアンテナ１１２が受信する複数のＧＰＳ衛星からの測位情報により現在位置を算出し、算出結果をＣＰＵ１０１へ出力する（Ｓ３）。
【００４６】
ＣＰＵ１０１は、算出された現在位置に応じてプロジェクタユニット１２０による投影の可否を判断する（Ｓ４）。
【００４７】
現在位置がプロジェクタユニット１２０による投影を許される場所であると判断されたとき（ＹＥＳ）、ＣＰＵ１０１は投影を許容する制御信号を投影制御回路１２４に出力し、    プロジェクタ投影窓１０（図１参照）を介して投影画像がスクリーン（図示せず）等に拡大投影される（Ｓ５）。
【００４８】
これに対し、現在位置が病院や映画館等のようにプロジェクタユニット１２０による投影を許されない場所であると判断されたとき（ＮＯ）、ＣＰＵ１０１は投影を禁止する制御信号を投影制御回路１２４に出力し、投影可否の処理が終了し、投影は行われない（Ｓ６）。
【００４９】
次に、プロジェクタユニット１２０の投影が行われることになったときの投影条件変更の処理を図５のフローチャートに基づいて説明する。
【００５０】
図５は投影条件を変更する処理を説明するフローチャート、図６は場所（現在位置）とパラメータとの関係を示すテーブルである。図５においてＳ１１〜Ｓ１８は処理の各ステップを示す。図６において、光量及び音量がパラメータである。
【００５１】
なお、Ｓ１１〜Ｓ１４までのステップは図４に示したＳ１〜Ｓ４と同じであるのでその説明を省略する。
【００５２】
現在位置がプロジェクタユニット１２０による投影を許される場所であるとき（ＹＥＳ）、投影のパラメータを変更するか否かを判断する（Ｓ１５）。
【００５３】
投影のパラメータを変更するとき（ＹＥＳ）、ＧＰＳユニット１１０で得られた位置情報をもとにパラメータをテーブルに書き込まれた値に設定する（Ｓ１６）。例えば、屋外の場合には、光量、音量ともに大きくする（図６参照）。
【００５４】
その後、液晶パネル１２２から射出された画像がスクリーン等に拡大投影される（Ｓ１７）。
【００５５】
現在位置がプロジェクタユニット１２０による投影を禁止する場所であるとき（ＮＯ）、投影条件を変更する処理が終了する（Ｓ１８）。
【００５６】
なお、図６のテーブルでは場所の違いによって光量、音量が変わるが、場所だけでなく時間（昼間であるか夜であるか等）の違いによって光量、音量を変えるようにしてもよい。また、パラメータとしては光量、音量以外にコントラスト等がある。
【００５７】
また、例えばカメラ２を一定の場所だけで使用する場合には、ＧＰＳユニット１１０が起動しない設定としてもよいし、ＧＰＳユニット１１０で算出された位置情報に基づいてパラメータの変更の判断をしてもよい。
【００５８】
この実施形態によれば、ＧＰＳユニット１１０で算出された現在位置がプロジェクタユニット１２０による投影を禁止する場所であるときには、投影が行われずに処理が終了するので、投影を禁止する場所では確実に投影を行われないようにすることができる。
【００５９】
図７はこの発明の第２実施形態に係るカメラ２０２のブロック図、図８はＣＰＵ１０１によって行われる撮影の可否及び撮影条件を変更する処理を説明するフローチャートであり、第１実施形態と共通する部分には同一符号を付してその説明を省略する。
【００６０】
この実施形態はプロジェクタユニット１２０がない点で第１実施形態と相違する。
【００６１】
以下、ＣＰＵ１０１によって行われる撮影ユニット１３０の撮影の可否の処理を説明する。Ｓ２１〜Ｓ２８は処理の各ステップを示す。
【００６２】
例えばシャッタボタン１６が押されたとき、自動的に撮影モードが選択される（Ｓ２１）。
【００６３】
撮影モードが選択されると、ＣＰＵ１０１はＧＰＳユニット１１０を起動する（Ｓ２２）。
【００６４】
ＧＰＳレシーバ１１１は、ＧＰＳアンテナ１１２が受信する複数のＧＰＳ衛星からの測位情報により現在位置を算出し、算出結果をＣＰＵ１０１へ出力する（Ｓ２３）。
【００６５】
ＣＰＵ１０１は、算出された現在位置に応じて撮像ユニット１３０による撮影の可否を判断する（Ｓ２４）。
【００６６】
現在位置が撮像ユニット１３０による撮影を許される場所であると判断されたとき、撮影のパラメータを変更するか否かを判断する（Ｓ２５）。
【００６７】
現在位置が撮影を禁止する場所であると判断されたとき（ＮＯ）、撮影の可否及び撮影条件を変更する処理が終了する（Ｓ２８）。
【００６８】
撮影のパラメータを変更するとき（ＹＥＳ）、ＧＰＳユニット１１０で得られた位置情報をもとにパラメータをテーブルに書き込まれた値に設定する（Ｓ２６）。撮影のパラメータを変更しないとき（ＮＯ）、ステップＳ２７へ進む。
【００６９】
図９は場所（現在位置）と撮影のパラメータとの関係を示すテーブルである。
【００７０】
図９には音量、フラッシュ、ホワイトバランス、ＩＳＯ感度がパラメータとして表示されている。音量、フラッシュ、ホワイトバランス、ＩＳＯ感度は、屋外の昼、屋外の夜、屋内に合わせて予め用意された設定から選択されることがわかる。なお、太陽、フラッシュ及び蛍光灯のマークは、屋外の昼、屋外の夜、屋内において被写体を照らす光源をそれぞれ示す。
【００７１】
ステップＳ２７では、フラッシュ窓１２を介してフラッシュ光を射出し、撮影窓（図示せず）を介して被写体像を撮像素子１３２の受光面上に結像させる。
【００７２】
この実施形態によれば、ＧＰＳユニット１１０で算出された現在位置が撮影ユニット１３０による撮影を禁止する場所であるときには、撮影が行われないので、フラッシュ撮影を禁止する場所では確実に撮影を行われないようにすることができる。
【符号の説明】
【００７３】
２： カメラ（電子機器）、１０１：ＣＰＵ（制御手段）、１１０：ＧＰＳユニット、１２０：プロジェクタユニット、１３０：撮像ユニット。
【図１】
2010181509.tif 000003
【図２】
2010181509.tif 000004
【図３】
2010181509.tif 000005
【図４】
2010181509.tif 000006
【図５】
2010181509.tif 000007
【図６】
2010181509.tif 000008
【図７】
2010181509.tif 000009
【図８】
2010181509.tif 000010
【図９】
2010181509.tif 000011